(57)【要約】【課題】構造が簡単で、使用には便利で、且つ使用時に堅固で安定な梯子と手押し車の組合せ装置を提供する。【解決手段】この本考案は梯子と手押し車の組合せ装置であり、梯子棚１，２を含み、梯子棚１，２は二個有しており、各梯子棚１，２には二本の平行な棒３が含まれており、二本の棒の間に複数本の横棒があり、二個の梯子棚１，２の上端はヒンジ部品でつなぎ、二個の梯子棚の下部に伸縮棒４がつなげられ、二個の梯子棚１，２はＡ字形の梯子となり、そのうちの一個の梯子棚１，２の底部の両側にローラ５があり、梯子棚１，２の底部に横方向のバッフル６をつけ、ローラ５はＡ字形の梯子の内側に設置され、横方向のバッフル６はＡ字形の梯子の外側に向かっている。【選択図】図１
0003162474.tif 000002
【実用新案登録請求の範囲】
【請求項１】
梯子と手押し車の組み合わせ装置において、梯子棚を含み、前記梯子棚は二個有しており、各梯子棚には二本の平行な棒が含まれており、二本の棒の間に複数本の横棒があり、二個の梯子棚の上端はヒンジ部品でつなぎ、二個の梯子棚の下部に伸縮棒がつなげられ、二個の梯子棚はＡ字形の梯子となり、そのうちの一個の梯子棚の底部の両側にローラがあり、当該梯子棚の底部に横方向のバッフルをつけ、前記ローラはＡ字形の梯子の内側に設置され、横方向のバッフルはＡ字形の梯子の外側に向かっていることを特徴とする梯子と手押し車の組み合わせ装置。
【請求項２】
前記ローラを有している梯子棚の上端がヒンジ部品より高く、且つ当該梯子棚の上端に横方向の手押しハンドルを有していることを特徴とする請求項1記載の梯子と手押し車の組合せ装置。
【請求項３】
前記梯子棚の両側のローラが三つずつあり、且つ、支えにより星の形で分布され、この支えは支えのセンターを中心に回転できることを特徴とする請求項1記載の梯子と手押し車の組合せ装置。
【請求項４】
前記横方向のバッフルはローラを有している梯子棚の底部にヒンジでつないでいることを特徴とする請求項1記載の梯子と手押し車の組合せ装置。
【請求項５】
前記ヒンジ部品には、つなぎ棒を含み、つなぎ棒の両端がそれぞれ二個の梯子棚の上端とヒンジでつながれていることを特徴とする請求項1記載の梯子と手押し車の組合せ装置。
【請求項６】
前記横バッフルの上方に袋が一つあることを特徴とする請求項1記載の梯子と手押し車の組合せ装置。
【請求項７】
前記Ａ字形の梯子の上部に踏み板があり、この踏み板の両端を動くようにして、二個の梯子棚の相応高さの横棒に接続されていることを特徴とする請求項１記載の梯子と手押し車の組合せ装置。
【請求項８】
前記Ａ字形の梯子の上部に踏み板が一個あり、踏み板の一端に回転軸があり、前記踏み板が回転軸により動くようにして、そのうちの一個の梯子棚の上端につながれ、当該梯子棚の上端且つ回転軸の下方に支えブロックがあり、踏み板が回転軸を巡り、Ａ字形の梯子の外側へ返る時に、支えブロックで水平面に支えられ、踏み板の他端の相応の位置に溝があり、踏み板が回転軸を巡り、Ａ字形の梯子の内側へ寝返りを打っているときに、踏み板の溝は相手梯子の相応位置の横棒にはめることができることを特徴とする請求項1記載の梯子と手押し車の組合せ装置。
【請求項９】
前記ローラが付いていない梯子棚の二本の棒の底端に滑り防止カバーを有していることを特徴とする請求項1〜8のどれかに記載の梯子と手押し車の組合せ装置。
【考案の詳細な説明】
【技術分野】
【０００１】
この本考案は日常生活用品の分野の、特に梯子と手押し車の組合せ装置に関係するものである。
【背景技術】
【０００２】
日常生活で、高いところの押入れや二重勾配式屋根にものを入れたり出したり、高所のガラス窓、ガラスドアを掃除したり、高所に飾りをつけたりすることがある。家に梯子を一つ用意することが必要である。なお、時には比較的に重いものを持たなければならない。こんな時に手押し車があったら何よりである。しかし、現在、多くの家には雑物を置くスペースをあまり取られていない。今、梯子としてもよいし手押し車としてもよいダブル用途或いは複数用途の手押し車があるが、その構造が普通複雑で、使用中に面倒くさくて不便である。たとえば、中国特許番号93206729.8の複数用途手押し車は、手押し車としてもよいし、A形の梯子或いは直立梯子或いは物品置き棚としてもよいが、用途間の転換は組合せなおしが必要で、非常に不便である。たとえば、A形の梯子に変えるには、L形のバッフルとローラを取り外して、ロック部品と棚でロックし、使ったあとまた取り外さなければならなく、非常にめんどうくさいし、それぞれ独立した部品で組み合わせた構造だから、部品が紛失しやすいし、弱くなりがちである。いままで、大多数の複数用途手押し車或いは複数用途梯子は取扱が面倒くさかったのである。
【考案の概要】
【考案が解決しようとする課題】
【０００３】
この本考案は、構造が簡単で、使用には便利で、且つ使用時に堅固で安定な梯子と手押し車の組合せ装置を提供することを目的とする。
【課題を解決するための手段】
【０００４】
この本考案の解決手段は下記の通りである、すなわち、梯子と手押し車の組み合わせ装置において、梯子棚を含み、前記梯子棚は二個有しており、各梯子棚には二本の平行な棒が含まれており、二本の棒の間に複数本の横棒があり、二個の梯子棚の上端はヒンジ部品でつなぎ、二個の梯子棚の下部に伸縮棒がつなげられ、二個の梯子棚はＡ字形の梯子となり、そのうちの一個の梯子棚の底部の両側にローラがあり、当該梯子棚の底部に横方向のバッフルをつけ、ローラはＡ字形の梯子の内側に設置され、横方向のバッフルはＡ字形の梯子の外側に向かうようにすることを特徴とする梯子と手押し車の組み合わせ装置である。
【０００５】
前記ローラを有している梯子棚の上端がヒンジ部品より高く、且つ当該梯子棚の上端に横方向の手押しハンドルを付ける。
【０００６】
前記梯子棚の両側のローラが三つずつあり、且つ支えにより星の形で分布さ、支えは支えのセンターを中心に回転できる。
【０００７】
前記横方向のバッフルはローラを有している梯子棚の底部にヒンジでつなぐ。
【０００８】
前記ヒンジ部品には、つなぎ棒を含み、つなぎ棒の両端がそれぞれ二個の梯子棚の上端とヒンジでつなぐ。
【０００９】
前記横バッフルの上方に買い物用袋が一つある。
【００１０】
前記Ａ字形の梯子の上部に踏み板があり、踏み板の両端は動くようにして二個の梯子棚の相応高さの横棒に接続する。
【００１１】
前記Ａ字形の梯子の上部に踏み板が一個あり、踏み板の一端に回転軸があり、踏み板が回転軸により動くようにしてうちの一個の梯子棚の上端につながれ、当該梯子棚の上端且つ回転軸の下方に支えブロックがあり、踏み板が回転軸を巡り、Ａ字形の梯子の外側へ返る時に、支えブロックで水平面に支えられ、椅子として使え、踏み板の他端の相応の位置に溝があり、踏み板が回転軸を巡り、Ａ字形の梯子の内側へ返すときに踏み板の溝は相手梯子の相応位置の横棒にはめることができるようにする。
【００１２】
前記ローラが付いていない梯子棚の二本の棒の底端に滑り防止カバーを有しており、梯子をもっと堅固で安定にし、梯子の安全性を増強する。
【考案の効果】
【００１３】
この本考案のメリットとし、実用性が強く、いかなる解体と組合せ直しの必要がなく、梯子と手押し車の間で転換でき、操作が簡単であることや、梯子棚の下部に伸縮棒が付いており、梯子の高さを調整することができることや、梯子棚の底部の横方向のバッフルは上へしまうことができることや、梯子は壁沿いに使うことができ、梯子の上部に踏み板があり、梯子の堅固さが高くなり、且つ、人間は踏み板の上に座る或いは立つようにして作業できることや、ローラがついている梯子棚の上端がヒンジ部品より高く、且つ上端に横方向の手押しハンドルをつけ、上に座っている或いは立っている人の手すりとなると同時に、安全性が高くなることや、星形で分布するローラで、この本考案は車として階段を上りやすいようにすることや、この本考案は椅子或いは買い物手押し車として使うことができ、実用性がもっと高くなることなどがある。
【図面の簡単な説明】
【００１４】
【図１】この本考案を梯子として使う時の見取り図である。
【図２】この本考案を手押し車として使う時の見取り図である。
【図３】この本考案を梯子として使って、且つバッフルがしまった時の見取り図である。
【図４】この本考案を椅子として使う時の見取り図である。
【図５】この本考案を買い物車として使う時の見取り図である。
【考案を実施するための形態】
【００１５】
図1-5のように、梯子と手押し車の組合せ装置において、梯子棚1と梯子棚2という二個の梯子棚を含み、各梯子棚1,2には平行な棒が二本あり、二本の棒の間に複数本の横棒があり、二個の梯子棚の上端はヒンジ部品でつないでいる。そのうち、ヒンジ部品にはつなぎ棒3を含み、つなぎ棒3の両端はそれぞれ二個の梯子棚の上端とヒンジでつないでいる。つなぎ棒3の両端と二個の梯子棚1,2の上端はこのようにつなぐ。
【００１６】
梯子棚1,2の平行棒の上端の相応位置のところに固定ブッシュ31をつけ、固定ブッシュ31にはヒンジつなぎベース32をつけ、ヒンジつなぎベース32にはヒンジつなぎ軸芯33をつけ、つなぎ棒3は軸芯33にヒンジつなぐ。二個の梯子棚1,2の下部には伸縮棒4をつけ、伸縮棒4の両端はそれぞれ二個の梯子棚1,2の相応位置の横棒につなぎ、二個の梯子棚1,2はＡ字形の梯子となる。
【００１７】
そのうちの一個の梯子棚1又は2の底部の両側にローラ5をつけ、両側のローラ5は三個ずつあり、且つ、支えで星の形で分布するようにする。支えは支えの中心をめぐって回転でき、ローラ5はＡ字形の梯子の内側につけ、当該梯子棚1の底部の、Ａ字形の梯子の外側に向かっているところに、横方向バッフル6をヒンジでつなぐ。
【００１８】
ローラ5がある梯子棚1の上端はヒンジ部品より高く、且つ当該梯子棚1の上端は横方向の手押し車のハンドル8がある。Ａ字形の梯子の上部に踏み板7があり、踏み板7の両端は動くようにして二個の梯子棚1,2の相応高さの横棒につなぐ。なお、踏み板7の構造は下記のように設置してもよい。
【００１９】
踏み板7の一端に回転軸を設置し、踏み板7は回転軸で動くようにして、そのうちの一個の梯子棚1又は2の上端につなぎ、当該梯子棚の上端に且つ回転軸の下方のところに支えブロック11を設置し、踏み板7は回転軸を巡り、Ａ字形の梯子の内側へ返る時に踏み板7の溝は相手梯子棚の相応位置の横棒にはめることができるようにする。ローラ5がない梯子棚2の二本の棒の底部に滑り防止カバー9をつけ、梯子の安定性を増やす。
【００２０】
この本考案の梯子と手押し車の組合せ装置は構造が簡単で、使用時に便利である。梯子として使う時に、二個の梯子棚1,2を開け、踏み板7を相応の横棒につけて、正常に使うことができるようになる。壁沿いに使う時に、横方向のバッフル6を上へしまいこんで、梯子を壁にくっつくようにして使うことができる。手押し車として使う時にも非常に簡単で、二個の梯子棚1,2をしまって結構である。二個の梯子棚1,2の上端のヒンジ部品はつなぎ棒3を含んでいるので、ローラ5のない梯子棚2は上へしまうことができ、梯子棚をローラ5の取り付け位置を避けるようにして、ローラ5のある梯子棚1と重なるようにすることができ、手押し車として使う時に、構造がまとまってきれいである。
【００２１】
この本考案の梯子と手押し車の組合せ装置は椅子としても使ってもよい。椅子として使う時に、踏み板7を回転軸を巡ってＡ字形の梯子の外側へ出し、支えブロック11で踏み板を水平面に支えれば、簡単な椅子になる。
【００２２】
この本考案の梯子と手押し車の組合せ装置は買い物手押し車としてもよい。その場合、袋10をバッフル6の上につければ結構である。
【符号の説明】
【００２３】
１，２・・・梯子棚      ３・・・つなぎ棒      ４・・・伸縮棒
５・・・ローラ      ６・・・バッフル      ７・・・踏み板
８・・・ハンドル      ９・・・滑り防止カバー      １０・・・袋
１１・・・ブロック      ３１・・・固定ブッシュ
３２・・・ヒンジつなぎベース      ３３・・・ヒンジつなぎ軸芯
【図１】
0003162474.tif 000003
【図２】
0003162474.tif 000004
【図３】
0003162474.tif 000005
【図４】
0003162474.tif 000006
【図５】
0003162474.tif 000007